(57)【要約】【課題】ハンズフリー操作手順を簡単化する。【解決手段】画面の配置状態が第一の状態と、第二の状態とを選択可能な表示装置２０において、外部機器４の接続を検知する外部機器検知手段２５と、この外部機器検知手段２５が外部機器４の接続を検知したときには、この外部機器４から情報を取得する情報取得手段２３と、画面の配置状態が第一の状態か第二の状態かを検知する画面状態検知手段２６と、外部機器検知手段２５が外部機器４の接続を検知した後に、画面状態検知手段２６により画面の配置状態の変更を検知したときには、情報取得手段２３により取得した情報の少なくとも一部を画面に表示する表示制御手段２７と、を備える。【選択図】図４
2009296518.tif 000002
【特許請求の範囲】
【請求項１】
画面の配置状態が第一の状態と、第二の状態とを選択可能な表示装置において、
外部機器の接続を検知する外部機器検知手段と、
この外部機器検知手段が外部機器の接続を検知したときには、この外部機器から情報を取得する情報取得手段と、
上記画面の配置状態が上記第一の状態か上記第二の状態かを検知する画面状態検知手段と、
上記外部機器検知手段が外部機器の接続を検知した後に、上記画面状態検知手段により上記画面の配置状態の変更を検知したときには、上記情報取得手段により取得した情報の少なくとも一部を上記画面に表示する表示制御手段と、
を備えることを特徴とする表示装置。
【請求項２】
前記外部機器は、携帯電話端末であり、
前記表示制御手段は、前記情報取得手段により取得した情報の少なくとも一部を前記画面に表示した後に、上記携帯電話端末の発信操作が行われないまま、再び、前記画面状態検知手段により前記画面の配置状態の変更を検知したときには、前記画面に所定の画像情報を表示する、
請求項１記載の表示装置。
【請求項３】
前記所定の画像情報は、キー・ボードの画像情報である請求項２記載の表示装置。
【請求項４】
前記表示制御手段は、前記外部機器検知手段が外部機器の接続を検知した後に、前記画面状態検知手段により前記画面の配置状態の変更を検知したときであっても所定の操作入力が行われない場合には、前記情報取得手段により取得した情報の表示を禁止する請求項１から３のいずれか１項記載の表示装置。
【請求項５】
画面の配置状態が第一の状態と、第二の状態とを選択可能な表示装置が行う表示内容の切換え方法において、
外部機器の接続を検知するステップと、
外部機器の接続を検知したときには、この外部機器から情報を取得するステップと、
上記画面の配置状態が上記第一の状態か上記第二の状態かを検知するステップと、
外部機器の接続を検知した後に、上記画面の配置状態の変更を検知したときには、上記取得するステップにより取得した情報の少なくとも一部を上記画面に表示するステップと、
を有することを特徴とする表示内容の切換え方法。
【請求項６】
外部機器の接続を検知した後に、前記画面の配置状態の変更を検知したときであっても所定の操作入力が行われない場合には、前記情報を取得するステップにより取得した情報の表示を禁止する請求項５記載の表示内容の切換え方法。
【請求項７】
情報処理装置にインストールすることにより、その情報処理装置に、
画面の配置状態が第一の状態と、第二の状態とを選択可能な表示装置としての機能を実現するプログラムにおいて、
外部機器の接続を検知する外部機器検知機能と、
この外部機器検知機能が外部機器の接続を検知したときには、この外部機器から電話帳および発着信履歴を含む情報を取得する情報取得機能と、
上記画面の配置状態が上記第一の状態か上記第二の状態かを検知する画面状態検知機能と、
上記外部機器検知機能が外部機器の接続を検知した後に、上記画面状態検知機能により上記画面の配置状態の変更を検知したときには、上記情報取得機能により取得した情報の少なくとも一部を上記画面に表示する表示制御機能と、
を実現することを特徴とするプログラム。
【発明の詳細な説明】
【技術分野】
【０００１】
本発明は、表示装置および表示内容の切換え方法ならびにプログラムに関する。
【背景技術】
【０００２】
自動車の運転中に、道路交通法により携帯電話端末に直接触れて通話を行うことは禁止されている。しかしながら、ハンズフリー機能を用い、携帯電話端末に触れることなく通話を行うことは許される。このようなハンズフリー通話を実現するためのハンズフリー装置が特許文献１に開示されている。
【０００３】
このハンズフリー装置は、携帯電話端末を接続して用いる。ハンズフリー装置に携帯電話端末を接続すると、携帯電話端末に記憶されている情報がハンズフリー装置に転送される。また、ハンズフリー装置のボタンが携帯電話端末のボタンに対応する。これにより、携帯電話端末の小さなボタンに代わり、ハンズフリー装置の大きなボタンを操作することができる。このため、運転者は、自動車の運転中であっても携帯電話端末の発信操作を安全かつ確実に行うことができる。
【０００４】
図１７は、ハンズフリー装置を用いた場合の操作手順を示すフローチャートである。図１７に示すように、まず、ハンズフリーボタンを押下する（ステップＳ４０）。続いて、電話帳または発着信履歴を呼出す（ステップＳ４１）。続いて、発信先を選択する（ステップＳ４２）。最後に、発信ボタンを押下する（ステップＳ４３）。これにより発信処理が実行される（ステップＳ４４）。
【０００５】
また、発信先が順次に音声表示される装置が特許文献２に開示されている。これによれば、運転者は、発信先のリストを見る必要はない。従って、より安全な運転を遂行できる。
【０００６】
【特許文献１】特開２００４−１３４９７７号公報
【特許文献２】特開平１０−１９０８１０号公報
【発明の開示】
【発明が解決しようとする課題】
【０００７】
このようなハンズフリー装置は、運転者の負担を軽減する上で有用である。しかしながら、運転者は、図１７に示したような複数の手順を実行する必要がある。従って、このような手順の一部を省略することができたら有用である。
【０００８】
本発明は、このような背景の下に行われたものであって、ハンズフリー操作手順を簡単化することができる表示装置および表示内容の切換え方法ならびにプログラムを提供することを目的とする。
【課題を解決するための手段】
【０００９】
本発明の表示装置は、画面の配置状態が第一の状態と、第二の状態とを選択可能な表示装置において、外部機器の接続を検知する外部機器検知手段と、この外部機器検知手段が外部機器の接続を検知したときには、この外部機器から情報を取得する情報取得手段と、画面の配置状態が第一の状態か第二の状態かを検知する画面状態検知手段と、外部機器検知手段が外部機器の接続を検知した後に、画面状態検知手段により画面の配置状態の変更を検知したときには、情報取得手段により取得した情報の少なくとも一部を画面に表示する表示制御手段と、を備えることを特徴とする。
【００１０】
このときに、外部機器は、携帯電話端末であり、表示制御手段は、情報取得手段により取得した情報の少なくとも一部を画面に表示した後に、携帯電話端末の発信操作が行われないまま、再び、画面状態検知手段により画面の配置状態の変更を検知したときには、画面に所定の画像情報を表示することができる。例えば、所定の画像情報は、キー・ボードの画像情報である。
【００１１】
また、表示制御手段は、外部機器検知手段が外部機器の接続を検知した後に、画面状態検知手段により画面の配置状態の変更を検知したときであっても所定の操作入力が行われない場合には、情報取得手段により取得した情報の表示を禁止することができる。
【００１２】
また、本発明を表示内容の切換え方法としての観点から観ることもできる。すなわち、本発明の表示内容の切換え方法は、画面の配置状態が第一の状態と、第二の状態とを選択可能な表示装置が行う表示内容の切換え方法において、外部機器の接続を検知するステップと、外部機器の接続を検知したときには、この外部機器から情報を取得するステップと、画面の配置状態が第一の状態か第二の状態かを検知するステップと、外部機器の接続を検知した後に、画面の配置状態の変更を検知したときには、取得するステップにより取得した情報の少なくとも一部を画面に表示するステップと、を有することを特徴とする。
【００１３】
このときに、外部機器の接続を検知した後に、画面の配置状態の変更を検知したときであっても所定の操作入力が行われない場合には、情報を取得するステップにより取得した情報の表示を禁止することができる。
【００１４】
本発明をプログラムとしての観点から観ることもできる。すなわち、本発明のプログラムは、情報処理装置にインストールすることにより、その情報処理装置に、画面の配置状態が第一の状態と、第二の状態とを選択可能な表示装置としての機能を実現するプログラムにおいて、外部機器の接続を検知する外部機器検知機能と、この外部機器検知機能が外部機器の接続を検知したときには、この外部機器から電話帳および発着信履歴を含む情報を取得する情報取得機能と、画面の配置状態が第一の状態か上記第二の状態かを検知する画面状態検知機能と、外部機器検知機能が外部機器の接続を検知した後に、画面状態検知機能により画面の配置状態の変更を検知したときには、情報取得機能により取得した情報の少なくとも一部を画面に表示する表示制御機能と、を実現することを特徴とする。
【発明の効果】
【００１５】
本発明によれば、ハンズフリー操作手順を簡単化することができる。
【発明を実施するための最良の形態】
【００１６】
本発明の実施の形態の表示装置を図１から図１３を参照して説明する。図１は、表示装置２０における画面１を示す図である。図２および図３は、画面１の配置状態を検出する方法の一例を示す図である。図４は、本発明の実施の形態の表示装置２０のブロック構成図である。本発明の実施の形態の表示装置２０は、主に車両の走行中に使用する。従って、本発明の実施の形態では、表示装置２０は、カー・ナビゲーション装置である。ここでカー・ナビゲーション装置は、ＰＮＤ(Personal Navigation Device)も含む。しかしながら、本発明の適用範囲をカー・ナビゲーション装置に限定するものではない。例えば、車載用のテレビ受像機であってもよい。あるいは、特許文献１のハンズフリー装置と類似する装置であってもよい。
【００１７】
本発明の実施の形態に係る表示装置２０は、図１に示すように、長方形の外枠を有する筐体２０ａと長方形の画面１とを有する。また、表示装置２０は、この長方形の長辺を水平方向とする画面１の配置状態である第一の状態（図１（Ａ））と、この長方形の短辺を水平方向とする画面１の配置状態である第二の状態（図１（Ｂ））とを選択可能である。さらに、表示装置２０は、画面１の配置状態に応じて表示内容も切換わる。ここでは、第一の状態を横長配置という。第二の状態を縦長配置という。カー・ナビゲーション装置としての使用例では、横長配置から縦長配置に変更すると表示範囲を変更することができる。例えば、図１（Ａ）では表示されていない前方の道路が図１（Ｂ）では表示されている。画像の縦横も画面１の縦横に合わせて変更される。
【００１８】
図２は、筐体２０ａを裏面から見た状態を示す。この例では、筐体２０ａを支持部２に取り付けるための取付部を回転スイッチ４０として利用する。この回転スイッチ４０は２つの接点４１、４２を備え、画面１の本体側の接点４３が接点４１に接続していれば画面１は横長配置（実線：図１（Ａ））と判断する。また、接点４２に接続していれば画面１は縦長配置（破線：図１（Ｂ））と判断する。
【００１９】
また、接点４１または接点４２の一方だけを利用することもできる。接点４１のみを利用する場合であれば、そこに本体側の接点４３が接続していれば横長配置、接続していなければ横長配置ではなないと判断できる。「横長配置ではない」ということは斜め配置か縦長配置のどちらかであることになる。しかし、この場合は縦長配置と判定して、画面表示を縦長配置とする。接点４２のみを利用する場合であれば、本体側の接点４３が接点４２に接続していない限り、横長配置の画面表示を継続する。
【００２０】
図３は、画面１の配置状態を検出する方法の別の例を示す図である。図３ではＧセンサ（加速度センサ）を用いた例を示す。位置関係を図２に対応させるため、図３においても、筐体２０ａを裏面から見た状態で示す。Ｇセンサは、鉛直方向のとき１Ｇ、水平方向のときには重力加速度が加わらないので０Ｇを出力する。そこで、画面１の配置状態が横長配置のときＧセンサが水平方向であるとする。また、画面１の配置状態が縦長配置のときＧセンサが鉛直方向に向くようにする。重力加速度Ｇの値とＧセンサの傾きθはＧ＝ｓｉｎθの関係がある。Ｇセンサを用いる方法では支持部２を必要としない。例えば、表示装置２０を立てかけて使用することもできる。
【００２１】
図２および図３では、画面１を傾けるときにはその右側が下になるものとして説明した。しかし、左側が下になったとき、あるいは右側と左側のどちらが下になった場合にも、同様に表示画面を切り替える構成とすることができる。
【００２２】
本発明の実施の形態の表示装置２０は、図４に示すように、携帯電話端末４の接続を検出する外部機器検知部２２を備える。また、表示装置２０は、この外部機器検知部２２が携帯電話端末４の接続を検知したときに、この携帯電話端末４から電話帳および発着信履歴を含む情報を取得する情報取得部２３を備える。なお、携帯電話端末４と表示装置２０とは外部機器接続部２５を介して接続される。また、情報取得部２３が取得した情報は記憶部２４に格納される。外部機器接続部２５にはコネクタ３（図５参照）が接続可能とされる。
【００２３】
また、表示装置２０は、画面１の配置状態が横長配置（図１（Ａ））か縦長配置（図１（Ｂ））かを検出する画面状態検知部２６を備える。さらに、表示装置２０は、外部機器検知部２２が携帯電話端末４の接続を検知した後に、画面状態検知部２６により画面１の配置状態の変更を検出したときには、情報取得部２３により取得した情報の少なくとも一部を画面１に表示する表示制御部２７を備える。
【００２４】
表示制御部２７には、画面１および音声出力部３０が接続される。また、操作部３１を備える。例えば、操作部３１は、画面１と一体化したタッチパネルである。また、表示装置２０は、カー・ナビゲーション装置であるので経路検索部２８を備える。制御部２１は、各部の制御を行う。また、地図データを格納する記憶部２４を備える。記憶部２４は、半導体メモリでもＤＶＤ(Digital Video Disk)やＣＤ(Compact Disk)を用いた記録装置でもよい。また、いわゆる通信ナビであれば図外のサーバに地図データを置いておき、必要に応じて表示装置２０が地図データをサーバから取り込んでもよい。この場合には記憶部２４の代わりに地図データ取得部もしくはサーバとの通信部が備えられることになる。
【００２５】
（表示内容の切換え動作の第一の実施の形態）
次に、図５〜図７を参照して画面１の縦横切換えに伴う表示内容の切換え動作を説明する。図５は、携帯電話端末４と表示装置２０との接続を説明する図である。図５（Ａ）に示すように、コネクタ３を用いて携帯電話端末４と表示装置２０とを接続する。なお、コネクタ３は、外部機器接続部２５が備えるようにしてもよい。外部機器検知部２２が携帯電話端末４と表示装置２０との接続を確認する。これにより、図５（Ｂ）に示すように、画面１には、携帯電話端末接続確認表示１０が現れる。
【００２６】
続いて、図６を参照しながら説明する。図６は、画面１の配置状態を変更する様子を示す図である。図６に示すように、画面１の配置状態を横長配置（図６（Ａ））から縦長配置（図６（Ｂ））へと変更する。画面状態検知部２６が画面１の配置状態の変更を検出する。これにより、情報取得部２３が携帯電話端末４から取得した電話帳および発着信履歴が画面１に表示される。このような表示形態をリスト表示という。なお、これら電話帳および発着信履歴の情報は記憶部２４に格納されている。運転者は、図６（Ｂ）の表示画面に対し、スクロールバー５をタッチ操作して発信先を選択する。運転者は、発信先が選択できたら発信ボタン６を押下する。これにより、携帯電話端末４の発信処理が行われる。また、配置状態の変更（横長状態→縦長状態または縦長状態→横長状態）については、ＰＮＤにおける画面１の回転操作であれば、画面を注視することなく操作できるので、走行中の安全も確保できる。
【００２７】
このように、図１７で説明した手順のうち、ステップＳ４０（ハンズフリーボタン押下）およびステップＳ４１（電話帳または履歴呼出）を画面１の縦横切換えに連動させることができる。従って、実質的に、従来必要であったステップＳ４０およびＳ４１を省略することができる。
【００２８】
以上の手順を、制御部２１の処理手順として図７のフローチャートに示す。制御部２１は、外部機器検知部２２により携帯電話端末４の接続を監視する（ステップＳ１）。ここで、制御部２１は、外部機器検知部２２により携帯電話端末４の接続を検知する（ステップＳ２のＹｅｓ）。このとき、制御部２１は、表示制御部２７に対して画面１に携帯電話端末接続確認表示１０を行うように指示する（ステップＳ３）。さらに、制御部２１は、情報取得部２３により携帯電話端末４から情報を受け取る（ステップＳ４）。制御部２１は、情報取得部２３による携帯電話端末４からの情報の受け取りが完了すると（ステップＳ５のＹｅｓ）、この情報を記憶部２４に格納する。
【００２９】
制御部２１は、画面状態検知部２６により画面１の配置状態を監視する（ステップＳ６）。画面１の配置状態が横長配置から縦長配置に変更される（ステップＳ７のＹｅｓ）。続いて、制御部２１は、表示制御部２７を制御し、記憶部２４に格納されている情報を画面１に表示する。これにより、画面１には、電話帳および発着信履歴がリスト表示される（ステップＳ８）。ここで、操作部３１の発信ボタンの押下があると（ステップＳ９）、携帯電話端末４に対して発信処理を行う（ステップＳ１０）。
【００３０】
なお、携帯電話端末４が非接続のとき（ステップＳ２のＮｏ）、または、携帯電話端末４が接続されていても画面１の配置状態が変更されないとき（ステップＳ７のＮｏ）は表示装置２０は、継続してカー・ナビゲーション装置として動作する。
【００３１】
（表示内容の切換え動作の第二の実施の形態）
次に、図８〜図１２を参照して画面１の縦横切換えに伴う表示内容の切換え動作の第二の実施の形態を説明する。図８は、ハンズフリー設定ボタン１１を説明する図である。図８に示すように、第二の実施の形態では、画面１にハンズフリー設定ボタン１１が表示される。操作部３１は、画面１と一体化されたタッチパネルである。よって、画面１のハンズフリー設定ボタン１１を運転者が押下することにより、操作部３１が操作される。操作部３１の操作は、制御部２１に伝達される。
【００３２】
図９は、ハンズフリー設定ボタン１１が押下された場合の表示内容の切換えを示す図である。ハンズフリー設定ボタン１１が押下された場合には、第一の実施の形態の図６の表示内容の切換えと同様である。
【００３３】
図１０は、ハンズフリー設定ボタン１１が押下されていない場合の表示内容の切換えを示す図である。ハンズフリー設定ボタン１１が押下されていない場合は、携帯電話端末４が接続されていない場合と同様である。従って、表示装置２０は、継続してカー・ナビゲーション装置として動作する。
【００３４】
図１１は、画面１が縦長配置になっている状態でハンズフリー設定ボタン１１が押下され、ハンズフリー設定ボタン１１の押下後に横長配置にされた場合の表示内容の切換えを示す図である。図１１の場合には、横長配置の画面１上に電話帳および発着信履歴がリスト表示される。
【００３５】
以上の手順を、制御部２１の処理手順として図１２のフローチャートに示す。制御部２１は、外部機器検知部２２により携帯電話端末４の接続を監視する（ステップＳ２０）。ここで、制御部２１は、外部機器検知部２２により携帯電話端末４の接続を検出する（ステップＳ２１のＹｅｓ）。このとき、制御部２１は、表示制御部２７に対して画面１に携帯電話端末接続確認表示１０を行うように指示する（ステップＳ２２）。さらに、制御部２１は、情報取得部２３により携帯電話端末４から情報を受け取る（ステップＳ２３）。制御部２１は、情報取得部２３により携帯電話端末４からの情報の取得が完了すると（ステップＳ２４のＹｅｓ）、この情報を記憶部２４に格納する。第二の実施の形態では、ここでハンズフリー設定ボタン１１が押下されない場合には（ステップＳ２５のＮｏ）、表示装置２０は、継続してカー・ナビゲーション装置として動作する。
【００３６】
ここで、ハンズフリー設定ボタン１１が押下される（ステップＳ２５のＹｅｓ）。これを受けて制御部２１は、画面状態検知部２６により画面１の配置状態を監視する（ステップＳ２６）。ここで、画面１が横長配置から縦長配置または縦長配置から横長配置に変更される（ステップＳ２７のＹｅｓ）。これを受けて制御部２１は、表示制御部２７を制御し、記憶部２４に格納されている情報を画面１に表示する。これにより、画面１には、電話帳および発着信履歴がリスト表示される（ステップＳ２８）。ここで、操作部３１の発信ボタンの押下があると（ステップＳ２９のＹｅｓ）、制御部２１は、携帯電話端末４に対して発信処理を行う（ステップＳ３０）。
【００３７】
なお、携帯電話端末４が非接続であるか（ステップＳ２１のＮｏ）、または、携帯電話端末４が接続され、ハンズフリー設定ボタン１１が押下され、画面１の使用形態が変更されないときは（ステップＳ２７のＮｏ）、表示装置２０は、継続してカー・ナビゲーション装置として動作する。
【００３８】
（表示内容の切換え動作の第三の実施の形態）
次に、第三の実施の形態として、図１３および図１４を参照して画面１の縦横切換えに伴う表示内容の切換え動作を説明する。図１３は、キー・ボード７が画面１に表示されるまでの過程を示す図である。図１３に示すように、第三の実施の形態では、横長配置時にキー・ボード７を表示する。
【００３９】
図１３（Ａ）は、カー・ナビゲーション装置として使用中の表示装置２０を示す。図１３（Ｂ）は、画面１がナビゲーション表示からリスト表示に切換えられた状態を示す。ここで、図１３（Ｂ）のリスト表示中に発信ボタン６が押下されなかったとする。さらに、縦長配置から横長配置に画面１が切換えられたとする。このとき、第三の実施の形態では、図１３（Ｃ）に示すように、横長配置の画面１上にキー・ボード７が表示される。このキー・ボード７は、ＳＭＳ(Short Message Service)などを利用する際に便利である。
【００４０】
以上の手順を、制御部２１の処理手順として図１４のフローチャートに示す。制御部２１は、外部機器検知部２２により携帯電話端末４の接続を監視する（ステップＳ４０）。ここで、制御部２１は、外部機器検知部２２により携帯電話端末４の接続を検出する（ステップＳ４１のＹｅｓ）。このとき、制御部２１は、表示制御部２７に対して画面１に携帯電話端末接続確認表示１０を行うように指示する（ステップＳ４２）。さらに、これを受けて制御部２１は、情報取得部２３により携帯電話端末４から情報を受け取る（ステップＳ４３）。制御部２１は、情報取得部２３による携帯電話端末４からの情報の受け取りが完了すると（ステップＳ４４のＹｅｓ）、この情報を記憶部２４に格納する。ここで、ハンズフリー設定ボタン１１が押下されない場合には（ステップＳ４５のＮｏ）、表示装置２０は、継続してカー・ナビゲーション装置として動作する。なお、第三の実施の形態では、ハンズフリー設定ボタン１１を設けなくてもよい。
【００４１】
ここで、ハンズフリー設定ボタン１１が押下される（ステップＳ４５のＹｅｓ）。これを受けて制御部２１は、使用形態検出部２６により画面１の配置状態を監視する（ステップＳ４６）。ここで、画面１が横長配置から縦長配置または縦長配置から横長配置に変更されると（ステップＳ４７のＹｅｓ）、これを受けて制御部２１は、表示制御部２７を制御し、記憶部２４に格納されている情報を画面１に表示する。これにより、画面１には、電話帳および発着信履歴がリスト表示される（ステップＳ４８）。ここで、操作部３１の発信ボタン６の押下があると（ステップＳ４９のＮｏ）、携帯電話端末４に対して発信処理を行う（ステップＳ５４）。
【００４２】
ここで、操作部３１の発信ボタン６の押下が無いとする（ステップＳ４９のＹｅｓ）。制御部２１は、使用形態検出部２６により画面１の配置状態を監視する（ステップＳ５０）。ここで、画面１が縦長配置から横長配置に変更されると（ステップＳ５１のＹｅｓ）、これを受けて制御部２１は、画面１上にキー・ボード７を表示する（ステップＳ５２）。ここで、所定の入力操作を行った後に、操作部３１の発信ボタン６の押下が有ると（ステップＳ５３のＹｅｓ）、携帯電話端末４に対して発信処理を行う（ステップＳ５４）。
【００４３】
（各実施の形態の補足）
図７、図１２、図１４のフローチャートは、処理の最後が発信処理で終わっている。しかしながら、発信を行わずに処理を中止する場合もある。このような場合には、例えば、リセットボタン（図示省略）を押下する。これによりナビゲーション表示に戻るなどの手順を追加してもよい。
【００４４】
図１５は、無線送受信機８を用いた実施の形態を示す図である。図１５に示すように、携帯電話端末４と表示装置２０との接続を無線送受信機８を用いて無線回線により行うこともできる。無線回線は、例えば、Ｂｌｕｅｔｏｏｔｈ（登録商標）などを用いる。このような無線通信を用いることにより、ケーブルを気にすることなく画面の変更が行える。
【００４５】
図１６は、携帯音楽端末９と表示装置２０とを接続した実施の形態を示す図である。図１６の例では、表示装置２０に、携帯電話端末４ではなく、携帯音楽端末９を接続する。表示装置２０に携帯音楽端末９が接続されると情報取得部２３は携帯音楽端末９から楽曲メニューの情報を取得する。この情報は記憶部２４に格納される。
【００４６】
図１６（Ｂ）に示すように、横長配置から縦長配置に変更されたときに表示されるのは、楽曲メニューである。楽曲メニュー選択後は、演奏ボタン１２を押下することにより演奏が開始される。楽曲の演奏は、音声出力部３０により出力される。
【００４７】
（プログラムの実施例）
情報処理装置にインストールすることにより、その情報処理装置に、本実施の形態の表示装置２０における各部の機能を実現するプログラムの実施例を説明する。ここで、情報処理装置とは、汎用のコンピュータ装置である。汎用のコンピュータ装置は、例えば、ＣＰＵ(Central Processing Unit)である。
【００４８】
本実施例のプログラムは記録媒体に記録されることにより、情報処理装置は、この記録媒体を用いて本実施例のプログラムをインストールすることができる。あるいは、本実施例のプログラムを保持するサーバからネットワークを介して直接、情報処理装置に本実施例のプログラムをインストールすることもできる。
【００４９】
これにより、情報処理装置を用いて、本実施の形態の表示装置２０における制御部２１、外部機器検知部２２、情報取得部２３、記憶部２４、画面状態検知部２６、表示制御部２７、経路検索部２８の機能を実現することができる。なお、これ以外の機能についてもソフトウェアによって実現可能な機能については、本実施例のプログラムによって実現してもよい。
【００５０】
なお、本実施例のプログラムは、情報処理装置によって直接実行可能なものだけでなく、ハードディスクなどにインストールすることによって実行可能となるものも含む。また、圧縮されたり、暗号化されたりしたものも含む。
【００５１】
以上、本発明の実施の形態について説明したが、本発明の要旨を変更しない限り様々に変更が可能である。例えば、上記の実施の形態では表示装置２０の筐体２０ａが長方形で、画面１を長方形としたが、筐体２０ａは長方形であるが、画面１ａが正方形のものとしてもよい。その場合には、画面１ａの使用形態は縦横どちらの場合も正方形となるが、縦横は筐体側で判断することとなる。
【００５２】
また、第二の実施の形態では、ハンズフリー設定ボタン１１を押下せずに、画面１を横長配置状態から縦長配置状態に変更したときには、リスト表示をしないと説明した。しかしながら、ハンズフリー設定ボタン１１を押下せずに、画面１を横長配置状態から縦長配置状態に変更した後に、ハンズフリー設定ボタン１１を押下したならば、その時点でリスト表示を行うようにしてもよい。
【００５３】
また、リスト表示としては、電話帳と発着信履歴を表示したり、発信履歴と着信履歴の２つとしたり、その２つと電話帳の３つとしてもよい。また、リスト表示ではなく、１つのみの表示とし、その表示をスクロールするなどで次から次へと切り替えるようにしたり、最新の発信電話番号と最新の着信電話番号のみを表示するようにしてもよい。
【００５４】
さらに、横長配置形態から右方向に回転させたときには、電話帳のリストを表示させ、横長配置形態から左方向に回転させたときには、発着信履歴のリストを表示させるなど、回転方向によって表示させる内容を変えるようにしてもよい。すなわち、画面の配置形態を２種類ではなく、３種類としたり、４種類として、各態様に合わせ表示内容を変更したり、同一のものとしたりしてもよい。
【図面の簡単な説明】
【００５５】
【図１】本発明の実施の形態に係る表示装置を示す図で（Ａ）は画面を横長配置とした図で、（Ｂ）は画面を縦長配置とした図である。
【図２】図１に示す表示装置における画面の使用形態を検出する方法の一例を示す図である。
【図３】図１に示す表示装置における画面の使用形態を検出する方法の他の例を示す図である。
【図４】図１に示す表示装置のブロック構成図である。
【図５】図１に示す表示装置と携帯電話端末との接続を説明する図で（Ａ）は接続前の状態を示し、（Ｂ）は接続後の状態を示す図である。
【図６】図１に示す表示装置における画面の使用形態の変更を示す図で（Ａ）はナビゲーション表示状態を示す図で、（Ｂ）はリスト表示状態を示す図である。
【図７】図１に示す表示装置における表示内容の切換え動作の第一の実施の形態に係る制御部の処理手順を示すフローチャートである。
【図８】図１に示す表示装置におけるハンズフリー設定ボタンを説明する図である。
【図９】図１に示す表示装置においてハンズフリー設定ボタンが押下された場合の表示内容の切換えを示す図で（Ａ）はナビゲーション表示状態を示す図で、（Ｂ）はリスト表示状態を示す図である。
【図１０】図１に示す表示装置においてハンズフリー設定ボタンが押下されていない場合の表示内容の切換えを示す図で（Ａ）は画面を横長配置とした図で、（Ｂ）は画面を縦長配置とした図である。
【図１１】図１に示す表示装置において画面が縦長配置になった後にハンズフリー設定ボタンが押下された場合の表示内容の切換えを示す図で（Ａ）はナビゲーション表示状態を示す図で、（Ｂ）はリスト表示状態を示す図である。
【図１２】図１に示す表示装置における表示内容の切換え動作の第二の実施の形態の制御部に係る処理手順を示すフローチャートである。
【図１３】図１に示す表示装置においてキー・ボードが画面に表示されるまでの過程を示す図で（Ａ）はナビゲーション表示状態を示し、（Ｂ）はリスト表示状態を示し、（Ｃ）はキー・ボード表示状態を示す図である。
【図１４】図１に示す表示装置における表示内容の切換え動作の第三の実施の形態に係る制御部の処理手順を示すフローチャートである。
【図１５】図１に示す表示装置と携帯電話端末との通信に無線送受信機を用いた実施の形態を示す図である。
【図１６】図１に示す表示装置と携帯音楽端末とを接続した実施の形態を示す図で（Ａ）は画面を横長配置とした図で、（Ｂ）は画面を縦長配置とした図である。
【図１７】従来のハンズフリー装置を用いた場合の操作手順を示すフローチャートである。
【符号の説明】
【００５６】
１  画面、２  支持部、３  コネクタ、４  携帯電話端末、５  スクロールバー、６  発信ボタン、７  キー・ボード、８  無線送受信機、９  携帯音楽端末、１０  携帯電話端末接続確認表示、１１  ハンズフリー設定ボタン、１２  演奏ボタン、２０  表示装置、２０ａ  筐体、２１  制御部、２２  外部機器検知部（外部機器検知手段）、２３  情報取得部（情報取得手段）、２４  記憶部、２５  外部機器接続部、２６  画面状態検知部（画面状態検知手段）、２７  表示制御部（表示制御手段）、２８  経路検索部、３０  音声出力部、４０  回転スイッチ、４１、４２、４３  接点
【図１】
2009296518.tif 000003
【図２】
2009296518.tif 000004
【図３】
2009296518.tif 000005
【図４】
2009296518.tif 000006
【図５】
2009296518.tif 000007
【図６】
2009296518.tif 000008
【図７】
2009296518.tif 000009
【図８】
2009296518.tif 000010
【図９】
2009296518.tif 000011
【図１０】
2009296518.tif 000012
【図１１】
2009296518.tif 000013
【図１２】
2009296518.tif 000014
【図１３】
2009296518.tif 000015
【図１４】
2009296518.tif 000016
【図１５】
2009296518.tif 000017
【図１６】
2009296518.tif 000018
【図１７】
2009296518.tif 000019